(57)【要約】【課題】  夜など暗闇やわずかな光では、化粧容器を探すのは困難である。現在の化粧容器は外観の装飾性にあまり富んでいない。円柱型の化粧容器の場合は鏡台や机の上などでは、立てて置かなければ転がってしまう。【解決手段】  容易に探すために化粧容器に、太陽光や照明などで光りを蓄え、暗闇で光る蓄光ビーズ、蓄光シールや光りによってよく光る反射塗料ビーズ、反射塗料シールを取り付ける。口紅容器が転がらないようにするためには、口紅容器の形を四角にするか、円柱型ならビーズをつけて凹凸をつけて転がらないようにする。【選択図】  図１
2005131354.tif 000002
【特許請求の範囲】
【請求項１】
光りを蓄え暗闇で光る蓄光性のある蓄光ビーズ、又は蓄光シールを取り付けたことを特徴とし、又、光に照らされると暗闇で光る反射性のある反射塗料ビーズ、又は反射塗料シールを取り付けたことを特徴とする発光体付き化粧容器。
【請求項２】
化粧容器に取り付ける蓄光ビーズは、ビーズと容器が接着剤で接着する方法、又は容器に埋め込む方法。蓄光シールは、蓄光材料で描かれたもの、又は描かれたものの表面に蓄光塗料を塗ったもので、そのフィルムや紙の片面に接着できるような粘着性の糊や接着剤等があるシールになっており、容器に貼り付ける方法。化粧容器に取り付ける反射塗料ビーズは、ビーズと容器が接着剤で接着、又は容器に埋め込む方法。反射塗料シールは反射塗料材料で描かれたもの、又は描かれたものの表面に反射塗料を塗ったもので、そのフィルムや紙の片面に接着できるような粘着性の糊や接着剤等があるシールになっており、容器に貼り付ける方法。
【発明の詳細な説明】
【技術分野】
【０００１】  本発明は暗闇で化粧容器を探すものに関するもの、外観の好感度アップを図るものである。
【背景技術】
【０００２】  従来の化粧容器は、アルミなどの金属製、樹脂製、プラスティック製のものがほとんどであり、例えば化粧品メーカーのコーセーの口紅ルミナスのアクアリィスパリップスティック容器、化粧品メーカーのカネボウのパウダーファンデーションのレヴューパクト用容器等があるが、その他の化粧容器にも蓄光材質を備えたものがない。又、反射材質に関してもないに等しい。又、特許出願に関しても例えば、【特許文献】特開２００２−１７４３５号公報より口紅容器に関して筆体を口紅容器内に収納して携行に便宜を付与するもの。
【特許文献】特開２００３−２４５１２８号公報より口紅、マスカラ等のメイク用具をコンパクトに棒状に一体化したもの。のように携行に便宜を図るものではあるが、暗闇で光ることをコンセプトにしていないものばかりである。又、実用新案出願で
【実用文献】
公開実用平１−９１５３４号公報より化粧容器等を形成する素材として金属光沢性のある基板や微粒子屈折体等により構成されているもの。
のように光輝性素材のものがあるが、暗闇で光ることはコンセプトにしていないし、光を蓄え光るものではない。
【発明の開示】
【発明が解決しようとする課題】
【０００３】  従来の化粧容器には蓄光材質のものがなく、夜など暗闇で鞄の中から例えば、口紅容器を探すのが困難であった。化粧道具が例え、鞄等の中から判別出来たとしてもマスカラ等口紅の他にも鞄の中には入っていることが多く、化粧道具の中から口紅を判別することは困難である。又、反射材質のものに関してもないに等しく、例えわずかな光があっても口紅容器を探し出すのが難しいことがあった。その他にも鏡台等で化粧をするときや化粧が終わった後、口紅容器が円柱型容器の場合には口紅容器を立てて置かなければ転がってしまっていた。又、口紅容器以外にも化粧容器全般的にデザインがシンプルなものが多く装飾性に富んでいなかった。
【課題を解決するための手段】
【０００４】  外出前の化粧や食事をしたときなどの化粧直しなどを女性が行うときに使う化粧道具には、発光体のものがない。そこで従来の化粧容器に蓄光ビーズを取り付け又は、蓄光シールを貼り付けることで太陽光、照明などの紫外線の吸収で光をわずかな時間でも蓄えておけば、長時間暗闇でも光るので、探し出すことが容易になる。又、反射塗料のビーズを取り付けることや反射塗料のシールを貼り付けることで光が当たればよく光るので、夜など暗い時、場所でわずかな光でも探し易い。光が当たって光るということでは蛍光ビーズ、蛍光塗料のシールも考えられるが、蛍光塗料等では、他の色と比べて目立ちはするものの光るといっても機械測定で判別できる程度で人間の目ではわかりづらい。そこで反射塗料の方が良いと考えられる。従ってこの蓄光ビーズや蓄光シール、反射塗料のビーズや反射塗料シールを化粧容器にそれぞれ色の違うビーズやシールを取り付けることで、例えば口紅はピンク、マスカラはブルー等色の違いにより他の化粧道具と判別が出来る。蓄光ビーズはビーズ素材のポリエステルやアクリル等に蓄光剤を混ぜ合わせたものをそれぞれの色々な形にしたもの。反射塗料のビーズは素材のポリエステルに反射塗料であるアクリル樹脂、顔料、有機溶剤の塗料に投射した光を再帰反射するガラスビーズを配合したものをそれぞれ色々な形したもの。又はポリエステルやアクリル、ガラス、陶器などの素材で出来たビーズに蓄光塗料、又は反射塗料を吹き付けたもの。
蓄光剤である蓄光石を粉末にした顔料だけでは、蓄えた光は、暗闇では白っぽいイエローのようなグリーンのような色にしか見えないので、蓄光剤である顔料に蛍光剤の顔料を加えて混合することにより、例えば蓄光剤顔料にピンクの蛍光顔料を混合すると、光はピンクになり、水色の蛍光顔料を混合すると、光は水色になる。この混合顔料を蓄光ビーズ、蓄光シールに利用することにより、化粧容器に異なる色のビーズ、又はシールを取り付けそれぞれの化粧道具が判別することが出来る。
参考物品として幾つか挙げると、塗料メーカーのアサヒペンが９７年より発売している夜光塗料スプレーは蓄光剤と蛍光剤を混合したもので色々な色がある。又、反射塗料としてはシンロイヒ株式会社よりビームライトスプレーでガラスビーズが配合されたものが発売されている。蓄光ビーズに関しては、株式会社ダイソー産業よりポリエステル素材のものが平成１３年より発売されているが、光る前は何色かあるのだが、実際蓄光し発光するときには、色が緑は良いのだが、赤は発色が悪く蓄光剤が顔料の赤とうまく混合出来ていないことが考えられ、又、青も緑と同じ色になり、あまり変わらないので蓄光剤の他に蛍光顔料を蛍光剤として加える方法が考えられる。
又、口紅容器が円柱型の場合にはビーズを取り付けることで表面に凹凸が出来るので転がらなくなる。
暗闇で探すことや転がるのを防ぐ機能に加えてビーズやシールを取り付けることにより、デザイン的にも明るいところでも楽しめ、暗闇では、光のデザインを楽しめ、装飾性もアップする。
【発明の効果】
【０００５】  一説によると、４０年以上も前からあるとされる蓄光剤を使用する為、従来の化粧容器と異なり光るので暗闇などで効果的であり、例えば鞄の中など暗い場合にも探し易い。又、発光する方法として自発光が考えられるが、これは放射能がエネルギーなのでウランが体に有害をもたらしてしまうが、蓄光の場合及び反射の場合は体に無害である。さらにただ単に化粧容器自体の全体を蓄光材質や反射材質で製作するのでは、外観のファッション性がないが、例えばハート型や星型などの蓄光ビーズ並びに反射塗料のビーズ、又はストライプ模様や水玉模様、花柄等の蓄光シールや反射塗料のシールを用いることにより、外観の好感度のみならずファッション性もアップし、又、暗い所で光のデザインを楽しむことが出来る。
【発明を実施するための最良の形態】
【０００６】  本発明の一実施の形態を図１から図６に従って詳述する。図において１は、蓄光ビーズ並びに反射塗料ビーズを取り付けた四角い口紅容器を示す。図２は正面図および背面図を示す。正面および背面に蓄光ビーズを接着剤等を使用し取り付ける。容器本体とビーズとで出来る凹凸の差は１ミリ〜７ミリ位までの間である。図３においては、両側面から見た口紅容器を示す。両側面には、反射塗料ビーズを接着剤等を使用し取り付ける。容器本体とビーズとで出来る凹凸の差は、図２同様１ミリ〜７ミリ位の間である。蓄光ビーズも反射塗料ビーズも凹凸の差があまりにも大きいものを使用すると、扱いにくく商品としてこの容器を個々に箱詰めするのに大きな箱を扱うようになってしまう為、コストがその分かかってしまう。又、図２同様図３においても蓄光ビーズ並びに反射塗料ビーズを取り付けるのは口紅容器上部の蓋のみである。下部である口紅が、取り付けてある容器の方に蓄光ビーズ並びに反射塗料ビーズが取り付けてあると、容器に凹凸がある為、手で持って口紅を塗るときに塗りにくい。又、下部に取り付けるなど、たくさん口紅容器にビーズを取り付けると、生産工程で時間もかかりその分人件費もかかり、コストがかかると考えられ、且つ、蓋のみに蓄光ビーズ並びに反射塗料ビーズがあるだけでも、充分に光り役目を果たす。また、取り付け方法として、接着剤等を使用する方法以外にも埋め込む方法が考えられるが口紅容器の蓋は厚みが薄く出来ているので、埋め込むことが困難であり、埋め込む方法だと衝撃によって蓄光ビーズ又は蛍光ビーズが外れることはないが、接着剤等でも強力な接着剤を使えば簡単にはなかなか外れることはないので、接着剤等を用いる方法の方が容易である。蓄光ビーズの素材としては、色々考えられるが、少なくとも現在ビーズの素材としてポリエステル、アクリル、ガラス、陶器があるが、製造上、これらの材料に蓄光剤を混合する方法では陶器やガラスなどでは困難であり、アクリルはコスト面でポリエステルより高いのでポリエステルが良いと考えられる。しかし、これらの材料で出来ているビーズに蓄光剤を吹き付ける方法の場合には製造上にはあまり変わらないが、コスト面でやはりポリエステルが低価なので良いと考えられる。ビーズを容器に取り付ける接着剤としては、シアノアクリレート、エポキシ樹脂、変成ポリアミド、変成シリコーンポリマー、ポリチオール、ポリアミド、塩化ビニル樹脂、合成樹脂、メチルエチルケトン、テトラヒドロフラン、アセトン、シクロヘキサン、有機溶剤等の成分をそれぞれ接着するものの用途に合わせた配合で作る接着剤が考えられるが、硬化後淡色半透明になり接着剤が目立たないこと、強度的にも容器が金属なのでエポキシ樹脂とポリチオールの２種類を等量よく混ぜて使用する化学反応形接着剤が良いと思われる。容器が金属の場合、シアノアクリレートで出来ている瞬間接着剤だと接着が悪いので適さない。容器がプラスティックの場合例えば、カネボウのレヴューのファンデーションケースのようなＡＢＳ樹脂のプラスティック素材だと特殊シリコーン変成ポリマー６５％、合成樹脂３０％、無機物５％の成分で出来ている化学反応形接着剤が良いと思われる。硬化後も透明になるので接着剤が���立たない。又、花王株式会社のソフィーナレイシャスのファンデーンョン用コンパクト容器もプラスティックで出来ており、このようにプラスティック容器も非常に多いが、このようにプラスティック容器の場合は、前記の接着剤の他に、瞬間接着剤のシアノアクリレート１００％でもはがれにくい接着強度はあるので、良いと思われる。硬化後透明で接着剤が目立たない点も挙げられる。
図４は、蓋を取って口紅を出した状態を示す。図５は蓄光シール又は反射塗料シールを貼り付けた斜視図を示す。図６は蓄光シール又は反射塗料シールのそれぞれどちらか一方を口紅容器の上部である蓋に、正面、背面、両側面に貼り付け、下部にもう一方を同様に貼り付けた図である。又、口紅容器が円柱型の場合においても同様であるが、蓄光ビーズや反射塗料ビーズの場合、細い容器の例えば、直径１センチ位だと、接着面が平らな四角い容器に比べて少ないので、接着しにくい為、円柱型の場合は少し太い容器にする。蓄光シール、反射塗料シールの場合は細くても構わない。ビーズを取り付ければ凹凸がある為、これで円柱型の口紅でも転がることがなくなる。
【実施例】
【０００７】  化粧容器として金属製のアルミで出来ている口紅容器である株式会社コーセーのルミナスアクアリィスパリップスティックを使用した。蓄光ビーズとして株式会社ダイソー産業のポリエステルで出来ているビーズを使用した。容器とビーズを接着する接着剤としてコニシ株式会社のボンドハイスピードエポを使用した。成分がＡ剤エポキシ樹脂１００％、Ｂ剤ポリチオール１００％の接着剤を等量混ぜ合わせ口紅容器に蓄光ビーズを取り付けた。蓄光させるのに照明として白色蛍光灯の光を使い５分蓄光させた。暗闇での発光時間は、およそ５時間。同様に１時間の蓄光でも発光時間はあまり変わらなかった。白の発光色はもともとの蓄光剤の色の白っぽいイエローのようなグリーンのような色だった。緑と青はグリーンであった。太陽光でも同様であった。もう一つ実施例をあげるとＡＢＳ樹脂で出来ているカネボウ株式会社のレヴューパクト用ケースＡＷを使用した。その容器に株式会社ダイソー産業のビーズとビーズにアサヒペンの夜光塗料スプレーを塗布したものを取り付けた。接着剤は、セメンダイン株式会社のスーパーＸクリアーを使用した。成分は特殊シリコーン変成ポリマー６５％、合成樹脂３０％、無機物５％である。又、コニシ株式会社の瞬間接着剤ボンドアロンアルファもビーズとプラスティック容器の取り付けに使用した。橙色に塗布したビーズは橙色に発光した。又、赤色スプレーをビーズに塗布したものを同様にして取り付けた。赤とはいえ実際の塗布の色はピンク色であったので、発光色はピンク色であった。１時間の蓄光で発光時間はおよそ８時間。長時間光るので、探すのには充分だと思われる。
又、実施例ではあるが、暗闇で緑に発光しているのは口紅、ピンクと橙色に発光しているのはファンデーションとわかり、色の違いによってその容器が何の容器であるか確認できた。反射塗料に関してもビーズにシンロイヒ株式会社の反射塗料ビームライトスプレーを塗布したものを前記口紅容器及び、ファンデーション容器に取り付けた。光を当て反射して良く光るのを確認した。
【図面の簡単な説明】
【０００８】
【図１】  蓄光ビーズ、反射塗料ビーズを取り付けた状態を示した斜視図である。
【図２】  蓄光ビーズ、反射塗料ビーズを取り付けた状態を示した正面図、背面図である。
【図３】  蓄光ビーズ、反射塗料ビーズを取り付けた状態を示した側面図である。
【図４】  図１の蓋を外した状態を示した斜視図である。
【図５】  蓄光シール並びに反射塗料シールを貼り付けた状態を示した斜視図である。
【図６】  蓄光シール、反射塗料シールを貼り付けた状態を示した正面図、背面図、側面図である。
【符号の説明】
１    蓄光ビーズ
２    反射塗料ビーズ
３    蓋部
４    口紅部
５    口紅容器下部本体
６    蓄光シール
７    反射塗料シール
【図１】
2005131354.tif 000003
【図２】
2005131354.tif 000004
【図３】
2005131354.tif 000005
【図４】
2005131354.tif 000006
【図５】
2005131354.tif 000007
【図６】
2005131354.tif 000008